(57)【要約】      （修正有） 【課題】手軽に製造することが可能であり、かつ奥行方向の豊かな表現を可能とするスノーグローブを提供する。【解決手段】透明でドーム状の外壁部２２を有する容器本体２０と、容器本体２０内に充填されており、透明の液体及び当該液体中を浮遊できる浮遊体を含む充填体と、容器本体２０の外部から、外壁部２２及び前記充填体を通して視認される展示物と、を有しており、前記展示物は、互いに対向する第１表面と第２表面とを有しており所定の厚みを有する透明板と、前記第２表面に形成されており、前記第１表面を介して前記透明板から出射する光を介して視認される像が印刷してある印刷層と、を有する印刷展示物４０を含む、ことを特徴とするスノーグローブ１０である。【選択図】図２
0003207011.tif 000002
【実用新案登録請求の範囲】
【請求項１】
透明でドーム状の外壁部を有する容器本体と、
前記容器本体内に充填されており、透明の液体及び当該液体中を浮遊できる浮遊体を含む充填体と、
前記容器本体の外部から、前記外壁部及び前記充填体を通して視認される展示物と、を有しており、
前記展示物は、互いに対向する第１表面と第２表面とを有しており所定の厚みを有する透明板と、前記第２表面に形成されており、前記第１表面を介して前記透明板から出射する光を介して視認される像が印刷してある印刷層と、を有する印刷展示物を含む、ことを特徴とするスノーグローブ。
【請求項２】
前記印刷展示物は、前記第１表面の一部に形成されており、前記印刷層の前記像の前方に重なった状態で前記像と共に視認される前方表示部分を有することを特徴とするスノーグローブ。
【請求項３】
前記印刷展示物は、前記印刷層に重ねて形成されており、前記第１表面の背面側から視認される背面像が印刷してある背面印刷層を有することを特徴とするスノーグローブ。
【請求項４】
前記展示物は、前記充填体の中に配置されており、前記印刷展示物の前方に重なった状態で前記印刷展示物と共に視認できるフィギュアを有することを特徴とするスノーグローブ。
【考案の詳細な説明】
【技術分野】
【０００１】
本考案は、ドーム状の透明容器及び透明容器内に充填された充填体を通して視認される展示物を有するスノーグローブに関する。
【背景技術】
【０００２】
スノーグローブは、液体と浮遊物が充填された透明容器の内部に、人形や模型等の展示物を配置してなるおもちゃの置物であり、容器を振って浮遊物を浮遊させることで、独特の動きのある表現を楽しむことができる。スノーグローブの起源に関しては、１９世紀初頭にペーパーウェイトの意匠として考案されたとする説があり、遅くとも２０世紀初頭にはヨーロッパ各地で観光みやげ等としてスノーグローブが製造・販売されており、現在でも多くのスノーグローブファンやコレクターが存在する。
【０００３】
近年、スノーグローブコレクターやファンの間で、オリジナルの展示物を使用したスノーグローブを作製してほしいという要望がある。しかしながら、手作りや少数生産で立体的なフィギアを作製する場合、作製費が高額となる問題がある。また、紙などに印刷した印刷物は、耐水性の問題から展示物として採用することが難しいという問題を有している。
【０００４】
このような問題を解決する従来技術として、容器内に液体等を充填する充填室と、展示物を展示する展示室を分離して設けるスノーグローブが提案されている。
【先行技術文献】
【特許文献】
【０００５】
【特許文献１】実用新案登録第3171324号公報
【特許文献２】実用新案登録第3100280号公報
【考案の概要】
【考案が解決しようとする課題】
【０００６】
充填室と展示室を分離して設けるスノーグローブでは、分離しないタイプに比べて展示室が狭くなるため、特に奥行方向の表現が難しいという問題を有している。また、紙の上に印刷された印刷物を展示物として使用する場合、印刷面が空気に触れているため経年変化が生じやすく、耐久性等の面から課題がある。
【０００７】
本考案は、このような課題を解決するためになされたものであり、奥行方向の豊かな表現を可能であり、かつ展示物が経年変化し難いスノーグローブを提供する。
【課題を解決するための手段】
【０００８】
前記課題を解決するために、本考案のスノーグローブは、透明でドーム状の外壁部を有する容器本体と、
前記容器本体内に充填されており、透明の液体及び当該液体中を浮遊できる浮遊体を含む充填体と、
前記容器本体の外部から、前記外壁部及び前記充填体を通して視認される展示物と、を有しており、
前記展示物は、互いに対向する第１表面と第２表面とを有しており所定の厚みを有する透明板と、前記第２表面に形成されており、前記第１表面を介して前記透明板から出射する光を介して視認される像が印刷してある印刷層と、を有する印刷展示物を含む。
【０００９】
本考案に係るスノーグローブは、外壁部及び液体を通して視認される展示物として、透明板の第２表面に形成されており、第２表面とは反対側の第１表面から視認される印刷層を有する印刷展示物を含んでいる。印刷展示物は、透明板に画像等を印刷して作製されるため、従来の立体的なフィギュアに比べて安価で手軽にオリジナルのものを作製することができる。さらに、印刷された画像等は、第１表面を介して透明板から出射した光を介して視認されるため、このような印刷展示物は、透明板を出射する際の光の屈折作用により、奥行き感の豊かな表現を行うことができる。また、透明板に印刷しているため、耐水性のない紙に印刷された印刷物とは異なり、直接液体内に配置することも可能である。さらに、印刷層において視認される側の表面は、透明板の第２表面に保護される。したがって、このような印刷展示物では、印刷層において視認される側の表面は液体又は空気に触れることがないため画像等が経年変化し難く、優れた耐久性を有する。
【００１０】
また、例えば、前記印刷展示物は、前記第１表面の一部に形成されており、前記印刷層の前記像の前方に重なった状態で前記像と共に視認される前方表示部分を有しても良い。
【００１１】
第１表面に形成される前方表示部分は、前方表示部分で反射された光を介して視認されるため、透明板から出射した光を介して視認される印刷層の像と重なった状態で視認されることにより、このような印刷展示物は、極めて立体的な表現を行うことができる。
【００１２】
また、例えば、前記印刷展示物は、前記印刷層に重ねて形成されており、前記第１表面の背面側から視認される背面像が印刷してある背面印刷層を有してもよい。
【００１３】
第１表面の正面側から視認される像と、第１表面の背面側から視認される背面像を有する印刷展示物を有することにより、このようなスノーグローブでは、多様な見え方を楽しむことが可能である。
【００１４】
また、例えば、前記展示物は、前記充填体の中に配置されており、前記印刷展示物の前方に重なった状態で前記印刷展示物と共に視認できるフィギュアを有してもよい。
【００１５】
透明板の表面に印刷してある印刷層と、立体的な反射面を有するフィギュアとでは見え方が異なるため、これらを組み合わせることにより、多彩な表現が可能となる。また、例えば、少数作製の印刷展示物と、多数作製のフィギュアとを組み合わせることで、多彩な少数作製のスノーグローブを、安価かつ容易に作製することができる。
【図面の簡単な説明】
【００１６】
【図１】図１は、本考案の第１実施形態に係るスノーグローブの全体斜視図である。
【図２】図２は、図１に示すスノーグローブの分解斜視図である。
【図３】図３は、図１に示すスノーグローブに含まれる印刷展示物の斜視図である。
【図４】図４は、図１に示すスノーグローブの断面図である。
【図５】図５は、本考案の第２実施形態に係るスノーグローブの全体斜視図である。
【図６】図６は、図５に示すスノーグローブの分解斜視図である。
【図７】図７は、図５に示すスノーグローブに含まれる容器本体の底面図である。
【図８】図８は、図７に示す容器本体のＸＩＩＩ−ＸＩＩＩ線に沿う断面図である。
【図９】図９は、図７に示す容器本体のＩＸ−ＩＸ線に沿う断面図である。
【図１０】図１０は、図５に示すスノーグローブの断面図である。
【図１１】図１１は、変形例に係る印刷展示物の断面図である。
【考案を実施するための形態】
【００１７】
第１実施形態
図１は、本考案の第１実施形態に係るスノーグローブ１０の全体斜視図である。スノーグローブ１０は、透明でドーム状の外壁部２２を有する容器本体２０と、容器本体２０内に充填されている充填体（液体１２ａ、浮遊体１２ｂ）と、容器本体２０の外部から、透明な外壁部２２及び充填体を通して視認される展示物（印刷展示物４０）を有している。
【００１８】
図２は、図１に示すスノーグローブ１０の分解斜視図である。ただし、分解斜視図である図２においては、図１に示す充填体については表示していない。スノーグローブ１０の容器本体２０は、ドーム状の外壁部２２と、外壁部２２に接続するリング状のリング部２３とを有しており、リング部２３の内側である底孔２０ａを介して、外壁部２２の内部に印刷展示物４０等を挿入できる。容器本体２０の材質は、ガラス、樹脂等を採用することができ、例えば樹脂としてはポリプロピレン、ポリ塩化ビニル、ポリスチレン、ポリカーボネート等が挙げられるが、特に限定されない。容器本体２０の外壁部２２は無色であることが好ましいが、透明であれば着色されていてもよい。
【００１９】
容器本体２０の底孔２０ａは、容器本体２０の内部に液体１２ａ及び浮遊体１２ｂ等の充填体を充填し、印刷展示物４０ａを配置した上で、底栓５２によって封止される。底栓５２は、容器本体２０におけるリング部２３の内壁に密着できるように、ゴムやエラストマーのような樹脂又はコルク等のような弾性を有する材料で構成することができるが、底栓５２の材質は特に限定されない。底栓５２は、接着剤等でリング部２３に固定されても良い。なお、底栓５２は、容器本体２０の内部から充填体が流出しないように底孔２０ａを封止するものであればどのような構造であってもよく、例えば、容器本体２０に接着されたり、リング部２３に嵌合されたりすることにより、容器本体２０に固定される蓋状のものであってもよい。
【００２０】
台座５０は、略円筒状の外形状を有しており、例えば樹脂、木材又は金属等で作製されている。図２に示すように、台座５０の中央孔には、容器本体２０のリング部２３が挿入される。台座５０と容器本体２０は、例えば接着剤等で固定される。なお、台座５０は、スノーグローブ１０を、テーブル等に安定した状態で設置可能とするものであれば、形状や材質は特に限定されない。
【００２１】
図３は、容器本体２０の内部に配置される展示物に含まれる印刷展示物４０を表す斜視図である。印刷展示物４０は、透明板４１と、透明板４１の表面に形成されている印刷層４６と、底板４２を有している。
【００２２】
透明板４１は、所定の厚みを有する透明な板で構成される。透明板４１の材質としては、例えば、アクリル（アクリル板）、ポリカーボネート（ポリカーボネート樹脂板）、ＰＥＴ（ＰＥＴ板）等の樹脂板や、ガラス板等が挙げられる。特に、透明板４１としては、印刷層４６が形成しやすく、透明度が高いアクリル板が好ましいが、透明板４１の材質はこれに限定されない。また、透明板４１の厚みについても特に限定されないが、板自体が反り難く、スノーグローブ１０内の展示に好適な立体感を持たせる観点から、２〜２０ｍｍとすることが好ましく、５〜１５ｍｍとすることが特に好ましい。
【００２３】
図３に示すように、透明板４１の外周形状は、円弧状の１辺と直線状の３辺を繋げた形状を有しているが、透明板４１の外周形状は特に限定されず、四角形や八角形のような多角形であってもよく、円や楕円、星形その他の形状であってもよい。
【００２４】
スノーグローブ１０の断面図である図４に示すように、透明板４１は、互いに対向する第１表面４１ａと第２表面４１ｂとを有する。第１表面４１ａと第２表面４１ｂとは、平板状である透明板４１の一方の面と他方の面であり、印刷展示物４０は、第１表面４１ａ及び第２表面４１ｂが、容器本体２０内で直立するように、容器本体２０内における中央付近に設けられている。
【００２５】
印刷層４６は、透明板４１の第２表面４１ｂに形成されている。印刷層４６は、図３に示すように第２表面４１ｂの全体に形成されていてもよいが、第２表面４１ｂの一部のみに形成されていてもよい。印刷層４６は、透明板４１の第２表面４１ｂに、単色又は多色のインクが層を成して構成されている。印刷層４６を構成するインクは、液体１２ａに接触した状態で時間が経過しても第２表面４１ｂから剥がれないように、良好な耐液性を有するものが好ましいが、インクの種類は特に限定されない。印刷層４６は、例えばインクジェットプリンター、スクリーン印刷機等を用いて形成されるが、印刷層４６を形成する印刷方法は特に限定されない。
【００２６】
印刷層４６は、印刷層４６が形成されている第２表面４１ｂとは反対面である第１表面４１ａから出射する光を介して視認される像を印刷したものである。印刷層４６が文字や写真のような像を印刷したものである場合、その文字や写真の像は、第１表面４１ａ側から正像として視認される。印刷層４６には、保護層や背面印刷層などが重ねて印刷されていてもよいが、たとえば、第２表面４１ｂに印刷層４６だけが形成されている場合、印刷層４６は、第１表面４１ａの背面側から、左右が反転した逆像として視認される。なお、印刷層４６は、光（可視光）を殆ど透過させない遮光層であってもよく、一部の光を透過させる半透過層であってもよい。
【００２７】
図３に示すように、透明板４１には、底板４２が取り付けられている。図４に示すように、底板４２は、第１表面４１ａ及び第２表面４１ｂに対して略垂直になるように、透明板４１の底面４１ｅに接着剤等により固定されている。底板４２は、スノーグローブ１０を傾けた場合にも、印刷展示物４０の位置がずれないように、底栓５２に固定されている。
【００２８】
図４に示すように、容器本体２０内には、透明の液体１２ａ及び液体１２ａ中を浮遊できる浮遊体１２ｂを含む充填体が充填されている。透明の液体１２ａとしては、例えば水等を用いることができるが、特に限定されない。また、浮遊体１２ｂとしては、例えば浮遊した際に雪のように見える白色の小片等を採用できるが、浮遊体１２ｂの形状、大きさ及び色彩は特に限定されない。また、浮遊体１２ｂは、透明の液体１２ａ中を所定時間浮遊したのち沈降するものが好ましく、透明の液体１２ａより若干比重が重く、表面積が大きい形状のものを採用することができる。また、浮遊体１２ｂは固体に限定されず、透明の液体１２ａとは混ざり合わない他の液体であってもよい。なお、充填体には、空気等の気体が含まれていてもよい。
【００２９】
図１に示すように、印刷展示物４０のような展示物は、容器本体２０の外部から、外壁部２２及び充填体を通して視認される。また、一度台座５０が上側になるようにスノーグローブ１０を傾けた後、図１に示すように再び台座５０が下側になる状態でスノーグローブ１０を設置することにより、浮遊体１２ｂが液体１２ａ内を浮遊する。
【００３０】
なお、本考案の説明において特定の部材が透明であるとは、その部材を隔てて反対側にある物体の形状等を認識可能であるという意味であり、特定の部材が視認できないということを意味せず、また、特定の部材の可視光透過率がほぼ１００％であるということまでは意味しない。例えば、表面が平滑であって可視光透過率（ＪＩＳ  Ｒ３１０６：１９９８）が２０％以上から１００％未満である部材は、標準的な室内の明るさ（７００ルクス程度）において、その部材を隔てて反対側にある物体の形状を認識でき、透明であるといえる。反対に、可視光透過率が５％以下であるか、または部材表面等で散乱・反射などが生じることにより、その部材を隔てて反対側にある物体の形状を認識できないような部材は、不透明であるといえる。
【００３１】
図１に示すようなスノーグローブ１０は、たとえば以下のようにして作成される。
まず、図２に示すような容器本体２０、印刷展示物４０、底栓５２、台座５０及び充填体を準備する。印刷展示物４０は、たとえばインクジェットプリンター等を用いて、アクリル板等の透明板４１に印刷層４６を形成したのち、透明板４１に底板４２を固定することにより作製する。
【００３２】
次に、容器本体２０の内部を液体１２ａと浮遊体１２ｂとを含む充填体で満たした後、印刷展示物４０を上面に固定した底栓５２で容器本体２０の底孔２０ａを塞ぐ。最後に、印刷展示物４０および充填体が内部に収容された容器本体２０を台座５０に固定することにより、図１に示すようなスノーグローブ１０を得る。
【００３３】
図１に示すスノーグローブ１０は、容器本体２０内部に、展示物としての印刷展示物４０を有している。図４に示すように、印刷展示物４０は、透明板４１の第２表面４１ｂに形成されており、第２表面４１ｂとは反対側の第１表面４１ａから視認される。印刷展示物１４０は、インクジェットプリンター等を用いて作製することにより、従来の立体的なフィギュアに比べて、安価で手軽にオリジナルのものを作製することができる。さらに、印刷された像は、印刷層４６の層前面４６ａで反射された後に第１表面４１ａを介して透明板４１から出射した光を介して視認されるため、このような印刷展示物４０は、透明板４１から出射する際や容器本体２０から出射する際等における光の屈折作用により、奥行き感の豊かな表現を行うことができる。
【００３４】
また、透明板４１に印刷しているため、耐水性のない紙に印刷された印刷物とは異なり、直接液体１２ａ内に配置することが可能である。さらに、印刷層４６において視認される側の表面である層前面４６ａは、透明板４１の第２表面４１ｂに保護される。したがって、このような印刷展示物４０では、印刷層４６の層前面４６ａは液体又は空気に触れることがないため画像等が経年変化し難く、優れた耐久性を有する。なお、層前面４６ａとは反対側の層背面４６ｂには、印刷層４６を保護するための保護層が形成されていてもよい。保護層は、たとえばインクジェットプリンターやスクリーン印刷機等を用いて、層背面４６ｂに単一色の保護層を印刷することにより形成することができるが、保護層の形成方法やデザインは特に限定されない。
【００３５】
第２実施形態
図５は、本考案の第２実施形態に係るスノーグローブ１００の全体斜視図である。スノーグローブ１００は、ドーム状の外壁部１２２を有する容器本体１２０と、有底筒状の底蓋１５０とを有する。容器本体１２０の内部には、液体等で充填されている充填室１２１や、印刷展示物１４０が配置されている展示室１３０が形成されている。底蓋１５０は、容器本体１２０の底部に取り付けられている。
【００３６】
図６は、スノーグローブ１００の分解斜視図である。底蓋１５０は、容器本体１２０から取り外すことが可能であり、底蓋１５０を取り外すことにより、印刷展示物１４０を容器本体１２０の展示室１３０から取り出すことが可能である。
【００３７】
図８及び図９は容器本体１２０の断面図である。容器本体１２０の底面図である図７に示すように、図８に示す断面は、容器本体１２０の底壁部１２４に形成される挿入口１２４ａの短辺１２４ａｃ、１２４ａｂを二等分する断面であり、図９に示す断面は挿入口１２４ａの長辺１２４ａａ、１２４ａｂを二等分する断面であり、２つの断面は互いに直交する関係にある。すなわち、図８は、容器本体１２０を第３充填部分１２１ｃに沿って切断し、第１充填部分１２１ａを含む部分と第２充填部分１２１ｂとを含む部分との２つの部分に容器本体１２０を分離する断面による断面図である。これに対して、図９は、第１内壁１２７から第２内壁１２８へ向かう方向（図９参照）の断面による断面図である。
【００３８】
図８に示すように、容器本体１２０は、ドーム状の外壁部１２２と、外壁部１２２の下端に接続する底壁部１２４と、底壁部１２４からドーム状の外壁部１２２に向かって立ち上がる内壁部１２６とを有している。すなわち、容器本体１２０の周壁は、外壁部１２２と内壁部１２６との二重構造となっており、外壁部１２２、底壁部１２４及び内壁部１２６に囲まれた領域が充填室１２１であり、充填室１２１の内部に展示室１３０が配置されている。展示室１３０は、内壁部１２６によって充填室１２１から隔てられており、充填室１２１及び内壁部１２６によって上方及び側方を囲まれている。
【００３９】
図９に示すように、底壁部１２４には略長方形の挿入口１２４ａが形成されている。図５に示すように、展示室１３０を囲む内壁部１２６は、第１内壁１２７と、第２内壁１２８と、接続壁１２９によって構成される。第１内壁１２７は、挿入口１２４ａの一方の長辺１２４ａａから上方に立ち上がるように設けられており、第２内壁１２８は、挿入口１２４ａの他方の長辺１２４ａｂから上方に立ち上がるように設けられている。第１内壁１２７と第２内壁１２８とは、展示室１３０を挟んで互いに対向している。
【００４０】
接続壁１２９は、第１内壁１２７と第２内壁１２８の端部同士を、互いに接続している。また、図７に示すように、接続壁１２９は、挿入口１２４ａの一方の短辺１２４ａｃと、他方の短辺１２４ａｄとを接続している。
【００４１】
図９に示すように、第１内壁１２７と第２内壁１２８とは、外壁部１２２の頂部１２２ａを基準として対称に配置されている。しかしながら、図５に示すように、第１内壁１２７と第２内壁１２８とは平行ではなく、挿入口１２４ａから頂部１２２ａへ向かう方向である上方へ向かって互いの間隔が狭くなるように傾斜している。
【００４２】
充填室１２１の内部には、図１に示すスノーグローブ１０と同様に、透明の液体１２ａ及び浮遊体１２ｂを含む充填体が充填されている。充填体には、空気等の気体１２ｃが含まれていてもよい。また、充填室１２１には、立体的に造形されたフィギュア１６０のような、印刷展示物１４０以外の展示物が配置されていてもよい。ただし、充填室１２１に使用されるフィギュア１６０には、液体１２ａに接触しても変形、変色しないように、耐液性が必要である。
【００４３】
図９に示すように、充填室１２１は、第１内壁１２７と外壁部１２２との間に形成される第１充填部分１２１ａと、第２内壁１２８と外壁部１２２との間に形成される第２充填部分１２１ｂと、接続壁１２９と外壁部１２２との隙間に形成される第３充填部分１２１ｃとを有する。第３充填部分１２１ｃは、第１充填部分１２１ａと第２充填部分１２１ｂとを接続しており、充填室１２１内の充填体（液体１２ａ、浮遊体１２ｂ、気体１２ｃ）は、第３充填部分１２１ｃを介して第１充填部分１２１ａと第２充填部分１２１ｂとの間を移動できる。
【００４４】
外壁部１２２と接続壁１２９との間に形成される隙間（第３充填部分１２１ｃ）は特に限定されないが、例えば充填体のうち透明の液体１２ａは自由に移動できるが、浮遊体１２ｂは抵抗を受けてスムーズに通過できない程度の大きさであることが好ましい。
【００４５】
容器本体１２０の材質は、図２に示す容器本体１２０と同様に、ガラス、樹脂等を採用することができ、例えば樹脂としてはポリプロピレン、ポリ塩化ビニル、ポリスチレン、ポリカーボネート等が挙げられるが、特に限定されない。また、容器本体１２０のうち外壁部１２２、第１内壁１２７及び第２内壁１２８は透明であるが、底壁部１２４等は不透明であっても良い。また、外壁部１２２、第１内壁１２７及び第２内壁１２８は、無色であることが好ましいが、透明であれば着色されていてもよい。
【００４６】
スノーグローブ１００の断面図である図１０に示すように、展示室１３０を取り囲む外壁部１２２、充填室１２１の内部に充填される液体１２ａ、第１内壁１２７及び第２内壁１２８は透明である。そのため、展示室１３０及び展示室１３０に配置される印刷展示物１４０は、スノーグローブ１００の外部から、これらの部分を通して視認できる。
【００４７】
充填室１２１とは内壁部１２６によって隔てられており、空気で満たされた展示室１３０には、印刷展示物１４０が配置されている。図６に示すように、印刷展示物１４０は、透明板１４１と、透明板１４１の表面に形成されている印刷層１４６及び前方表示部分１４８とを有する。
【００４８】
透明板１４１は、図３に示す印刷展示物４０に含まれる透明板４１と同様の透明な板で構成されている。また、図１０に示すように、透明板１４１は、図３に示す透明板４１と同様に、互いに対向する第１表面１４１ａと第２表面１４１ｂとを有する。印刷層１４６は、透明板１４１の第２表面１４１ｂに形成されている。印刷層１４６は、第１実施形態に係る印刷層４６と同様であるため、詳細については説明を省略する。
【００４９】
図６及び図１０に示す前方表示部分１４８は、透明板１４１における第１表面１４１ａの一部に形成されている。図６に示すように、本実施形態における前方表示部分１４８は、「Ｈａｐｐｙ  Ｂｉｒｔｈｄａｙ」の文字形状を有するインク層等で構成されており、印刷層１４６の像の前方に重なった状態で、印刷層１４６の像とともに視認される。
【００５０】
前方表示部分１４８は、印刷層１４６と同様にインクジェットプリンター、スクリーン印刷機等を用いて第１表面１４１ａに印刷されることにより形成されてもよく、別途シートに印刷されたものを第１表面１４１ａに張り付けたり、第１表面１４１ａに手書きでインクを付着させたりすることで、形成されてもよい。なお、前方表示部分１４８の形状や配置は特に限定されず、前方表示部分１４８が表示するのは文字であってもよく、画像や模様であってもよい。
【００５１】
図６に示すように、スノーグローブ１０は、内部にフィギュア１６０を配置した後、充填体を充填した容器本体２０を準備し、容器本体２０の底壁部１２４に形成された挿入口１２４ａを介して印刷展示物１４０を展示室１３０に挿入及び配置した後、挿入口１２４ａを閉じるように容器本体２０に底蓋１５０を取り付けることにより作製される。なお、展示室１３０には、印刷展示物１４０以外の展示物が、印刷展示物１４０と共に配置されていてもよい。
【００５２】
第２実施形態に係るスノーグローブ１００も、第１実施形態に係るスノーグローブ１０と同様に、オリジナルの写真等を用いた印刷展示物１４０等を採用できるため、立体的なフィギュア等を作成する必要がある従来のスノーグローブに比べて安価で手軽に、写真やイラストのデザインを取り込むことができる。また、透明板１４１に印刷された印刷展示物１４０は、写真等を紙に印刷した展示物とは異なり、透明板４１から出射する際の光の屈折作用により、奥行き感の豊かな表現を行うことができる。また、印刷層１４６において視認される側の表面である層前面１４６ａは、透明板４１の第２表面１４１ｂに保護されるため、印刷展示物１４０は美しい光沢を長期間維持できる。
【００５３】
また、図６等に示す印刷展示物１４０では、前方表示部分１４８は透明板１４１に入射することなく前方表示部分１４８で反射された光を介して視認されるのに対して、印刷層１４６の像は透明板１４１から出射した光を介して視認されるため、スノーグローブ１００の外部から見た場合、両者の見え方は大きく異なる。スノーグローブ１００では、前方表示部分１４８と印刷層１４６の像とを重ねて配置することにより、たとえば前方表示部分１４８が印刷層１４６の像から大きく飛び出しているように見えるなど、極めて立体的な表現を行うことができる。
【００５４】
さらに、スノーグローブ１００では、透明板１４１の表面に印刷してある印刷層１４６と、立体的な反射面を有しており液体１２ａ内に配置されているフィギュア１６０とを組み合わせることにより、多彩な表現が可能となる。例えば、作成依頼者の写真を用いた印刷展示物１４０と、多数作製のフィギュア１６０とを組み合わせることで、少数作製であっても、多彩なスノーグローブ１００を安価で容易に作製することができる。
【００５５】
以上、本考案の実施形態であるスノーグローブ１０、１００を示しつつ、考案について詳細に説明したが、本考案はこれらの実施形態のみに限定されるものではなく、様々な他の実施形態や変形例が、本考案に含まれることは言うまでもない。
【００５６】
図１１は、変形例に係る印刷展示物２４０の断面図である。印刷展示物２４０は、上述した実施形態における印刷展示物４０、１４０の代わりに、スノーグローブ１０、１００の展示物として採用することができる。
【００５７】
印刷展示物２４０は、透明板１４１と、印刷層１４６と、中間層２４９ａと、背面印刷層２４９ｂとを有する。透明板１４１と印刷層１４６については、図１０に示す印刷展示物１４０と同様である。図１１に示すように、中間層２４９ａと背面印刷層２４９ｂは、印刷層１４６に重ねて形成されている。
【００５８】
背面印刷層２４９ｂは、透明板１４１における第１表面１４１ａの背面側から視認される背面像を印刷したものであり、印刷層１４６に対して中間層２４９ａを挟んで配置されている。中間層２４９ａは、印刷層１４６と背面印刷層２４９ｂとを隔てており、印刷層１４６による像と、背面印刷層２４９ｂによる背面像とが、互いに影響を及ぼし合うことを防止している。中間層２４９ａは、例えば白色等の単色層であることが好ましいが、特に限定されない。また、背面印刷層２４９ｂは、印刷層１４６と同様に、単色又は多色のインクが層を成して構成されている。
【００５９】
このような印刷展示物２４０は、透明板１４１の第２表面１４１ｂに印刷層１４６を形成した後、印刷層１４６に重ねて中間層２４９ａを形成し、更に印刷層１４６及び中間層２４９ａに重ねて背面印刷層２４９ｂを形成することにより作製することができる。中間層２４９ａ及び背面印刷層２４９ｂは、印刷層１４６と同様に、インクジェットプリンター、スクリーン印刷機等を用いて形成することができるが、中間層２４９ａ及び背面印刷層２４９ｂを形成する印刷方法や、インクの種類は特に限定されない。
【００６０】
図１１に示すような背面印刷層２４９ｂを印刷展示物として採用したスノーグローブは、例えば複数の画像を印刷展示物のデザインに取り入れることが可能であり、多彩な表現が可能である。
【符号の説明】
【００６１】
１０、１００…スノーグローブ
１２ａ…液体
１２ｂ…浮遊体
１２ｃ…気体
２０、１２０…容器本体
２０ａ…底孔
２２、１２２…外壁部
２３…リング部
４０、１４０、２４０…印刷展示物
４１、１４１…透明板
４１ａ、１４１ａ…第１表面
４１ｂ、１４１ｂ…第２表面
４１ｅ…底面
４２…底板
４６、１４６…印刷層
４６ａ、１４６ａ…層前面
４６ｂ…層背面
５０…台座
５２…底栓
１２１…充填室
１２１ａ…第１充填部分
１２１ｂ…第２充填部分
１２１ｃ…第３充填部分
１２２ａ…頂部
１２４…底壁部
１２４ａ…挿入口
１２４ａａ、１２４ａｂ…長辺
１２４ａｃ、１２４ａｄ…短辺
１２６…内壁部
１２７…第１内壁
１２８…第２内壁
１２９…接続壁
１３０…展示室
１４８…前方表示部分
１５０…底蓋
１６０…フィギュア
２４９ａ…中間層
２４９ｂ…背面印刷層
【図１】
0003207011.tif 000003
【図２】
0003207011.tif 000004
【図３】
0003207011.tif 000005
【図４】
0003207011.tif 000006
【図５】
0003207011.tif 000007
【図６】
0003207011.tif 000008
【図７】
0003207011.tif 000009
【図８】
0003207011.tif 000010
【図９】
0003207011.tif 000011
【図１０】
0003207011.tif 000012
【図１１】
0003207011.tif 000013
【手続補正書】
【提出日】平成28年8月5日(2016.8.5)
【手続補正１】
【補正対象書類名】実用新案登録請求の範囲
【補正対象項目名】全文
【補正方法】変更
【補正の内容】
【実用新案登録請求の範囲】
【請求項１】
透明でドーム状の外壁部を有する容器本体と、
前記容器本体内に充填されており、透明の液体及び当該液体中を浮遊できる浮遊体を含む充填体と、
前記容器本体の外部から、前記外壁部及び前記充填体を通して視認される展示物と、を有しており、
前記展示物は、互いに対向する第１表面と第２表面とを有しており所定の厚みを有する透明板と、前記第２表面に形成されており、前記第１表面を介して前記透明板から出射する光を介して視認される像が印刷してある印刷層と、を有する印刷展示物を含む、ことを特徴とするスノーグローブ。
【請求項２】
前記印刷展示物は、前記第１表面の一部に形成されており、前記印刷層の前記像の前方に重なった状態で前記像と共に視認される前方表示部分を有することを特徴とする請求項１に記載のスノーグローブ。
【請求項３】
前記印刷展示物は、前記印刷層に重ねて形成されており、前記第１表面の背面側から視認される背面像が印刷してある背面印刷層を有することを特徴とする請求項１又は請求項２に記載のスノーグローブ。
【請求項４】
前記展示物は、前記充填体の中に配置されており、前記印刷展示物の前方に重なった状態で前記印刷展示物と共に視認できるフィギュアを有することを特徴とする請求項１から請求項３までのいずれかに記載のスノーグローブ。